(57)【要約】【課題】電源切りキーの単独操作および電源切りキーを含む多重操作にかかわらず使用者に違和感なく熱源の加熱を停止可能な加熱調理器を提供する。【解決手段】加熱調理器１は、誘導加熱コイル６Ａの加熱中に加熱切キーとしての単一指令入力装置２９Ａが単独で操作された場合には誘導加熱コイル６Ａの加熱を停止させ、他方、単一指令入力装置２９Ａと単一指令入力装置２９Ａ以外の入力装置のいずれかとが多重で操作された場合には誘導加熱コイル６Ａの加熱を一旦停止させた後、多重操作の継続時間が所定の停止判定時間以内の場合には誘導加熱コイル６Ａの加熱を再開させ、他方、多重操作の継続時間が所定の停止判定時間を超えた場合には誘導加熱コイル６Ａの加熱を停止させる制御回路６７を備える。【選択図】  図９
2012017883.tif 000002
【特許請求の範囲】
【請求項１】
被加熱物配置部を有する天板と、
前記天板に覆われて前記被加熱物配置部の下方に配置された熱源と、
前記天板に設けられて前記熱源の加熱停止操作を受け取る加熱切キーと、
前記天板に設けられてそれぞれが異なる前記熱源の加熱条件設定操作を受け取る複数の加熱条件設定キーと、
前記熱源の加熱中に前記加熱切キーが単独で操作された場合には前記熱源の加熱を停止させ、他方、前記加熱切キーと前記加熱条件設定キーのいずれかとが多重で操作された場合には前記熱源の加熱を一旦停止させた後、前記加熱切キーと前記加熱条件設定キーのいずれかとの多重操作継続時間が所定の停止判定時間以内の場合には前記熱源の加熱を再開させ、他方、前記加熱切キーと前記加熱条件設定キーのいずれかとの多重操作継続時間が所定の停止判定時間を超えた場合には前記熱源の加熱を停止させる制御部と、を備えたことを特徴とする加熱調理器。
【請求項２】
前記制御部は、前記加熱条件設定キーのいずれかが単独で操作されたとき、前記加熱条件設定キーの操作継続時間が所定の操作判定時間以内の場合には前記加熱条件設定キーに予め対応付けられた加熱条件で前記熱源を加熱することを特徴とする請求項１に記載の加熱調理器。
【請求項３】
それぞれが前記加熱条件設定キーのいずれかに対応付けられて前記加熱条件設定キーに予め割り当てられた加熱条件の設定または非設定を表示する複数の表示部を備え、
前記制御部は、前記加熱条件設定キーのいずれかが単独で操作された場合、前記加熱条件設定キーに対応付けられた前記表示部の設定または非設定の表示を即時に行うことを特徴とする請求項１または２に記載の加熱調理器。
【請求項４】
前記熱源の加熱を一旦停止させたことを表示する一時停止表示部を備え、
前記制御部は、前記加熱切キーと前記加熱条件設定キーのいずれかとが多重で操作された場合には前記一時停止表示部を表示させることを特徴とする請求項１から３のいずれか１項に記載の加熱調理器。
【請求項５】
前記制御部は、前記加熱切キーと前記加熱条件設定キーのいずれかとの多重操作継続時間が所定の停止判定時間以内の場合には前記一時停止表示部を解除させることを特徴とする請求項１から４のいずれか１項に記載の加熱調理器。
【請求項６】
前記制御部は、前記加熱切キーと前記加熱条件設定キーのいずれかとが多重で操作された場合には所定の操作不感時間が経過するまで前記加熱切キーおよび前記加熱条件設定キーから入力される操作信号を破棄することを特徴とする請求項１から５のいずれか１項に記載の加熱調理器。
【請求項７】
前記制御部は、前記加熱切キーと前記加熱条件設定キーのいずれかとが多重で操作されるまでは前記加熱切キーおよび前記加熱条件設定キーのそれぞれを所定の監視時間ずつ順次に監視して前記加熱切キーおよび前記加熱条件設定キーの入力開始の有無を受け取り、他方、前記加熱切キーと前記加熱条件設定キーのいずれかとが多重で操作された場合には前記加熱切キーおよび前記加熱条件設定キーのそれぞれを前記所定の監視時間よりも長い所定の第二監視時間ずつ順次に監視して前記加熱切キーおよび前記加熱条件設定キーの入力開始の有無を受け取ることを特徴とする請求項２に記載の加熱調理器。
【発明の詳細な説明】
【技術分野】
【０００１】
本発明に係る実施形態は加熱調理器に関する。
【背景技術】
【０００２】
一般に、加熱調理器は、被加熱物を載せる部分を有する天板（所謂トッププレート）と、天板に覆われて被加熱物を載せる部分の下方に配置された熱源と、を備える。また、加熱調理器は、天板に設けられて使用者の操作入力を受け取る入力部と、入力部から入力される操作信号に応じて熱源の発熱量を制御する制御部と、を備える。入力部は、例えば電源の入り・切りや、加熱強度や加熱温度などの加熱条件選択や、調理メニューの選択などに個別に割り当てられた複数の入力装置から構成される。
そして、静電容量の変化から入力操作を検知するタッチキーを入力装置に適用した加熱調理器が知られている。
【先行技術文献】
【特許文献】
【０００３】
【特許文献１】特開２００９−９３８５１号公報
【発明の概要】
【発明が解決しようとする課題】
【０００４】
入力装置としてのタッチキーを備える加熱調理器は、調理中の被加熱物、例えば鍋から吹きこぼれた水などがタッチキーに付着してしまうと、これを操作入力として検知してしまう。また、このような加熱調理器は、被加熱物の加熱中に吹きこぼれた水などを拭き取るための布巾などがタッチキーに触れてしまうと、これを操作入力として検知してしまう。さらに、吹きこぼれた水の付着や、この水を拭き取る布巾の接触は、複数のタッチキーに及ぶ場合がある。
【０００５】
このような、吹きこぼれたり使用者が調理中にこぼした水などの液体もしくは液状のもの（以下、「水など」と言う。）の付着や、この水などを拭き取る布巾の接触によるタッチキーの操作入力は、使用者の意図しない誤った操作入力である。
【０００６】
そこで、従来の加熱調理器は、タッチキーが単独で操作入力を受け取った場合にはこの操作入力を採用して熱源の制御を行い、他方、複数のタッチキーが同時に操作入力を受け取った場合（以下、単に「多重操作」と呼ぶ。）には原則的にこの操作入力を破棄する。これによって従来の加熱調理器は、使用者の意図しない誤った操作入力に応じた熱源の制御を回避する。
【０００７】
ところが、従来の加熱調理器は、加熱中に多重操作された複数のタッチキーに電源切りキー（電源の切りに割り当てられたタッチキー）が含まれていた場合には使用者による電源切りキーの操作入力を受け取れなくなってしまう。そこで、従来の加熱調理器は、電源切りキーに隣接しているタッチキーが電源切りキーとともに多重操作された場合にはこれらタッチキーの多重操作の継続時間を観測し、この継続時間と予め定めた所定の継続時間との大小関係に応じて電源切りキーの操作入力を破棄または例外的に採用する。
【０００８】
しかしながら、従来の加熱調理器は、電源切りキーが単独で操作入力を受け取った場合と、電源切りキーが多重操作に含まれている場合との間で使用者が電源切りキーに触れてから熱源の加熱が停止するまでの時間が異なることになる。このような電源切りキーの単独操作か多重操作かによる熱源の加熱が停止するまでの時間差は、使用者に違和感を与えてしまう。
【０００９】
そこで、本発明は、電源切りキーの単独操作および電源切りキーを含む多重操作にかかわらず使用者に違和感なく熱源の加熱を停止可能な加熱調理器を提供することを目的とする。
【課題を解決するための手段】
【００１０】
前記の課題を解決するため本発明に係る加熱調理器は、被加熱物配置部を有する天板と、前記天板に覆われて前記被加熱物配置部の下方に配置された熱源と、前記天板に設けられて前記熱源の加熱停止操作を受け取る加熱切キーと、前記天板に設けられてそれぞれが異なる前記熱源の加熱条件設定操作を受け取る複数の加熱条件設定キーと、前記熱源の加熱中に前記加熱切キーが単独で操作された場合には前記熱源の加熱を停止させ、他方、前記加熱切キーと前記加熱条件設定キーのいずれかとが多重で操作された場合には前記熱源の加熱を一旦停止させた後、前記加熱切キーと前記加熱条件設定キーのいずれかとの多重操作継続時間が所定の停止判定時間以内の場合には前記熱源の加熱を再開させ、他方、前記加熱切キーと前記加熱条件設定キーのいずれかとの多重操作継続時間が所定の停止判定時間を超えた場合には前記熱源の加熱を停止させる制御部と、を備えたことを特徴とする。
【図面の簡単な説明】
【００１１】
【図１】本発明の実施形態に係る加熱調理器をシステムキッチンに組み込んで示した斜視図。
【図２】本発明の実施形態に係る加熱調理器から天板を省略しシステムキッチンに組み込んで示した平面図。
【図３】本発明の実施形態に係る加熱調理器のトッププレートの前半部を示した平面図。
【図４】本発明の実施形態に係る加熱調理器のレベル指令入力装置を示した平面図。
【図５】本発明の実施形態に係る加熱調理器のレベル指令入力装置を示した透視図。
【図６】本発明の実施形態に係る加熱調理器のレベル指令入力装置を示した断面図。
【図７】本発明の実施形態に係る加熱調理器の誘導加熱コイルに関する概略的なブロック図。
【図８】本発明の実施形態に係る加熱調理器の制御回路に入力される操作信号を示した波形図。
【図９】本発明の実施形態に係る加熱調理器の制御内容を示したフローチャート。
【図１０】本発明の実施形態に係る加熱調理器の制御内容のうち加熱切キーとしての単一指令入力装置が他のタッチキーとともに多重かつ長時間操作入力された場合を示したタイムチャート。
【図１１】本発明の実施形態に係る加熱調理器の制御内容のうち加熱切キーとしての単一指令入力装置が他のタッチキーとともに多重かつ短時間操作入力された場合を示したタイムチャート。
【発明を実施するための形態】
【００１２】
以下、本発明に係る加熱調理器の実施の形態について、図１から図１１を参照して説明する。
図１は、本発明の実施形態に係る加熱調理器をシステムキッチンに組み込んで示した斜視図である。
図２は、本発明の実施形態に係る加熱調理器から天板を省略しシステムキッチンに組み込んで示した平面図である。
【００１３】
図１および図２に示すように、本実施形態に係る加熱調理器１は、凹部Ｐに収容されてシステムキッチンＫに組み込まれた、所謂ビルトインタイプのものであり、被加熱物配置部３ａ、３ｂ、４を有するトッププレート５（天板）と、トッププレート５に覆われて被加熱物配置部３ａ、３ｂ、４の下方に配置された誘導加熱コイル６Ａ、６Ｂ（熱源）およびヒータ７（熱源）と、を備える。ヒータ７は、例えばラジエントヒータを用いて構成された熱源である。
【００１４】
また、加熱調理器１は、トッププレート５に覆われてシステムキッチンＫの凹部Ｐに収容された調理器本体８と、システムキッチンＫの前面側に配置されたロースタ部９および主電源スイッチ１１と、を備える。
【００１５】
なお、加熱調理器１の構造を説明するにあたり、システムキッチンＫの前面側を正面、システムキッチンＫの奥側を背面と定義する。また、システムキッチンＫに向かって使用者から見て左手側を加熱調理器１の左方、その反対側を加熱調理器１の右方と定義する。また、加熱調理器１を構成する各部の方向については加熱調理器１に準じる。
【００１６】
調理器本体８は、上方へ開口８ａされた箱状体であり、内部空間の前側に配置された主回路基板１２を備える。また、調理器本体８は、開口８ａの周縁部に設けられてシステムキッチンＫの凹部Ｐに加熱調理器１を支えるフランジ部８ｂを備える。
【００１７】
誘導加熱コイル６Ａ、６Ｂは、調理器本体８の前後方向やや前側において左右一対に配置されて調理器本体８に収容される。ヒータ７は、調理器本体８の中央奥側に配置されて調理器本体８に収容される。
【００１８】
主回路基板１２は、それぞれ多数の発光ダイオード１３を左右方向へ線状に並べた加熱強度表示用の左右一対の発光ダイオード群１５Ａ、１５Ｂと、左右の発光ダイオード群１５Ａ、１５Ｂに挟まれるように前側中央部に配置された左右一対のタイマー表示器１６Ａ、１６Ｂおよびメニュー調理表示器１７Ａ、１７Ｂと、タイマー表示器１６Ａ、１６Ｂの近傍に設けられた左右一対の一時停止表示器１８Ａ、１８Ｂと、を備える。一時停止表示器１８Ａ、１８Ｂは発光ダイオードを用いて構成される。
【００１９】
トッププレート５は、調理器本体８の開口８ａを覆い、調理器本体８より外側（前後方向および左右方向）へ張り出した耐熱ガラス製の板状体である。トッププレート５は、調理器本体８のフランジ部８ｂに支持される。換言すると、トッププレート５は、調理器本体８に収容された主回路基板１２、誘導加熱コイル６Ａ、６Ｂおよびヒータ７を覆うものであり、誘導加熱コイル６Ａ、６Ｂおよびヒータ７の上方に対応する部位にそれぞれ円形の被加熱物配置部３ａ、３ｂ、４を有する。
図３は、本発明の実施形態に係る加熱調理器のトッププレートの前半部を示した平面図である。
【００２０】
図３に示すように、加熱調理器１は、被加熱物配置部３ａ、３ｂの前側に配置された左右一対のレベル表示部２０Ａ、２０Ｂと、左右のレベル表示部２０Ａ、２０Ｂに挟まれるように前側中央部に配置された左右一対のタイマー表示部２３Ａ、２３Ｂおよびオート調理表示部２４Ａ、２４Ｂと、タイマー表示部２３Ａ、２３Ｂの近傍に設けられた左右一対の一時停止表示部２５Ａ、２５Ｂと、を備える。
【００２１】
また、加熱調理器１は、トッププレート５の前縁部に配置された左右一対のレベル指令入力装置２７Ａ、２７Ｂと、単一指令入力装置２９Ａ、３０Ａ、３１Ａ、３２Ａ、２９Ｂ、３０Ｂ、３１Ｂ、３２Ｂと、を備える。
【００２２】
単一指令入力装置２９Ａ、２９Ｂは、トッププレート５に設けられて誘導加熱コイル６Ａ、６Ｂおよびヒータ７の加熱停止操作を受け取る加熱入り切りキーである。レベル指令入力装置２７Ａ、２７Ｂ、単一指令入力装置３０Ａ、３１Ａ、３２Ａ、３０Ｂ、３１Ｂ、３２Ｂは、トッププレート５に設けられてそれぞれが異なる誘導加熱コイル６Ａ、６Ｂ、ヒータ７の加熱条件設定操作を受け取る複数の加熱条件設定キーである。レベル表示部２０Ａ、２０Ｂ、タイマー表示部２３Ａ、２３Ｂおよびオート調理表示部２４Ａ、２４Ｂは、それぞれが加熱条件設定キー（すなわち、レベル指令入力装置２７Ａ、２７Ｂ、単一指令入力装置３０Ａ、３１Ａ、３２Ａ、３０Ｂ、３１Ｂ、３２Ｂ）のいずれかに対応付けられて加熱条件設定キーに予め割り当てられた加熱条件の設定または非設定を表示する複数の表示部である。
【００２３】
レベル表示部２０Ａは、発光ダイオード群１５Ａと、トッププレート５に設けられて発光ダイオード群１５Ａの発する光を透過させる温度表示部２１Ａおよび加熱強度表示部２２Ａと、を備える。他方、レベル表示部２０Ｂは、発光ダイオード群１５Ｂと、トッププレート５に設けられて発光ダイオード群１５Ｂの発する光を透過させる温度表示部２１Ｂおよび加熱強度表示部２２Ｂと、を備える。
【００２４】
タイマー表示部２３Ａは、タイマー表示器１６Ａと、トッププレート５に設けられてタイマー表示器１６Ａからの光を透過させる表示パネル部３６Ａと、を備える。他方、タイマー表示部２３Ｂは、タイマー表示器１６Ｂと、トッププレート５に設けられてタイマー表示器１６Ｂからの光を透過させる表示パネル部３６Ｂと、を備える。
【００２５】
オート調理表示部２４Ａは、メニュー調理表示器１７Ａと、トッププレート５に設けられてメニュー調理表示器１７Ａからの光を透過させる表示パネル３７Ａと、を備える。他方、オート調理表示部２４Ｂは、メニュー調理表示器１７Ｂと、トッププレート５に設けられてメニュー調理表示器１７Ｂからの光を透過させる表示パネル３７Ｂと、を備える。
【００２６】
一時停止表示部２５Ａは、一時停止表示器１８Ａと、トッププレート５に設けられて一時停止表示器１８Ａの発する光を透過させる一時停止表示パネル３８Ａと、を備える。他方、一時停止表示部２５Ｂは、一時停止表示器１８Ｂと、トッププレート５に設けられて一時停止表示器１８Ｂの発する光を透過させる一時停止表示パネル３８Ｂと、を備える。
レベル指令入力装置２７Ａ、２７Ｂは、それぞれトッププレート５に設けられたタッチ入力部３９Ａ、３９Ｂを備えたタッチキーである。
レベル指令入力装置２７Ａは、誘導加熱コイル６Ａに対する加熱条件レベルの設定用の入力装置である。
他方、レベル指令入力装置２７Ｂは、誘導加熱コイル６Ｂに対する加熱条件レベルの設定用の入力装置である。
【００２７】
単一指令入力装置２９Ａ、３０Ａ、３１Ａ、３２Ａ、２９Ｂ、３０Ｂ、３１Ｂ、３２Ｂは、それぞれトッププレート５に設けられた単一タッチ入力部４１Ａ、４２Ａ、４３Ａ、４４Ａ、４１Ｂ、４２Ｂ、４３Ｂ、４４Ｂを備えたタッチキーである。
【００２８】
単一指令入力装置２９Ａは、誘導加熱コイル６Ａによる加熱開始／停止用の入力装置である。単一指令入力装置３０Ａは、誘導加熱コイル６Ａによる加熱の時間設定用の入力装置である。単一指令入力装置３１Ａは、誘導加熱コイル６Ａに対する各種設定取消し用の入力装置である。単一指令入力装置３２Ａは、誘導加熱コイル６Ａに対するオート調理選択用の入力装置である。
【００２９】
他方、単一指令入力装置２９Ｂは、誘導加熱コイル６Ｂによる加熱開始／停止用の入力装置である。単一指令入力装置３０Ｂは、誘導加熱コイル６Ｂによる加熱の時間設定用の入力装置である。単一指令入力装置３１Ｂは、誘導加熱コイル６Ｂに対する各種設定取消し用の入力装置である。単一指令入力装置３２Ｂは、誘導加熱コイル６Ｂに対するオート調理選択用の入力装置である。
【００３０】
レベル指令入力装置２７Ａとレベル指令入力装置２７Ｂとは、基本的にそれぞれ同じ構成であり説明が重複するので、以下、レベル指令入力装置２７Ａについて説明する。
図４は、本発明の実施形態に係る加熱調理器のレベル指令入力装置を示した平面図である。
図５は、本発明の実施形態に係る加熱調理器のレベル指令入力装置を示した透視図である。
図６は、本発明の実施形態に係る加熱調理器のレベル指令入力装置を示した断面図である。
【００３１】
図３から図６に示すように、加熱調理器１のレベル指令入力装置２７Ａは、使用者の手指Ｆの接触位置を任意に変更できる長さ領域を有するよう長尺に形成された印刷膜であるタッチ入力部３９Ａと、タッチ入力部３９Ａに対向させてトッププレート５の裏面に設けられた誘電体４８と、トッププレート５の裏面とともに誘電体４８を挟み込む電極基板４９と、誘電体４８に対向した電極基板４９の一方の面に設けられた複数の検知電極５１ａ、５１ｂ、………、５１ｋと、電極基板４９の他方の面に設けられ検知電極５１ａ、５１ｂ、………、５１ｋに電気的に接続されたコネクタ５２と、コネクタ５２に接続された検出回路基板５３と、検出回路基板５３を主回路基板１２に接続させるハーネスコネクタ５５と、を備える。
【００３２】
このような構成により加熱調理器１のレベル指令入力装置２７Ａは、タッチ入力部３９Ａのうち検知電極５１ａ、５１ｂ、………、５１ｋのいずれかに対応した位置部分に、例えば人体の手指Ｆが接触すると、人体と検知電極５１ａ、５１ｂ、………、５１ｋのいずれかとが静電容量結合し、人体と検知電極５１ａ、５１ｂ、………、５１ｋのいずれかとの間の静電容量を変化させて微弱電流を流す。
図７は、本発明の実施形態に係る加熱調理器の誘導加熱コイルに関する概略的なブロック図である。
【００３３】
なお、レベル指令入力装置２７Ａ、単一指令入力装置２９Ａ、３０Ａ、３１Ａ、３２Ａと、レベル指令入力装置２７Ｂ、単一指令入力装置２９Ｂ、３０Ｂ、３１Ｂ、３２Ｂとは、基本的にそれぞれ同じ構成であり説明が重複するので、以下、レベル指令入力装置２７Ａ、単一指令入力装置２９Ａ、３０Ａ、３１Ａ、３２Ａについて説明する。
【００３４】
図７に示すように、加熱調理器１のレベル指令入力装置２７Ａは、発振回路５６と、発振回路５６に接続された個別検出回路５７ａ、５７ｂ、………、５７ｋと、を備える。
【００３５】
個別検出回路５７ａ、５７ｂ、………、５７ｋは、それぞれの検知電極５１ａ、５１ｂ、………、５１ｋに対する操作入力を検出する回路であり、基本的に同一構成であるので、個別検出回路５７ａについて説明する。個別検出回路５７ａは、コンデンサ５９と、検知電極５１ａと、接触検知回路６１と、を備える。
発振回路５６の発振出力はコンデンサ５９、検知電極５１ａおよびコネクタ５２を介して接触検知回路６１の入力端子に与えられる。
接触検知回路６１は、ダイオード６２と、抵抗６３と、チャージコンデンサ６５と、を備える。
【００３６】
ダイオード６２のアノードは、接触検知回路６１の入力端子であり、コネクタ５２を介して検知電極５１ａに接続される。ダイオード６２のカソードとアースとの間には、抵抗６３と、チャージコンデンサ６５とが並列に接続される。ダイオード６２のカソードとチャージコンデンサ６５と接続点は、接触検知回路６１の出力端子であり、ハーネスコネクタ５５を介して制御回路６７に接続される。
【００３７】
個別検出回路５７ａ、５７ｂ、………、５７ｋの最終段出力信号Ｖａ、Ｖｂ、………、Ｖｋ（すなわち、いずれかの接触検知回路６１の出力電圧信号）は、レベル指令信号であり、制御回路６７（制御部）へ出力される。
【００３８】
他方、加熱調理器１の単一指令入力装置２９Ａ、３０Ａ、３１Ａ、３２Ａも、レベル指令入力装置２７Ａと同じ構成を有しているのでレベル指令入力装置２７Ａと同じ構成には同一の符号を付し、重複する説明は省略する。
【００３９】
単一指令入力装置２９Ａ、３０Ａ、３１Ａ、３２Ａの最終段出力信号Ｖ２９ａ、Ｖ３０ａ、Ｖ３１ａ、Ｖ３２ａは、単一指令信号であり、制御回路６７へ出力される。
【００４０】
制御回路６７は、レベル指令信号および単一指令信号を操作信号として受け取るとともに信号判断手段、設定制御手段、表示制御手段および加熱制御手段として機能し、マイクロコンピュータを用いて構成される。制御回路６７は、個別検出回路５７ａ、５７ｂ、………、５７ｋから入力されるレベル指令信号Ｖａ、Ｖｂ、………、Ｖｋに応じて加熱条件レベル（加熱温度レベルまたは加熱強度レベル）の指令レベルを判断する。例えば、レベル指令信号Ｖａを最も低いレベルとしてレベル指令信号Ｖｂ、Ｖｃ、………、Ｖｋと移行するにつれて、高レベル指令と判断する。
【００４１】
なお、加熱条件レベルには、加熱温度レベルおよび加熱強度レベルがあり、例えば単一指令入力装置３２Ａが操作されて「天ぷら」が調理メニューとして選択されると、調理条件は加熱温度が設定対象となり、「通常加熱」が調理メニューとして選択されると、調理条件は加熱強度が設定対象となる。
また、制御回路６７は、誘導加熱コイル６Ａを駆動制御するインバータ制御回路７１およびインバータ７２に接続される。
加熱調理器１は、主電源スイッチ１１が投入されると制御回路６７およびその他の各回路に制御電源および駆動電源に電力の供給を開始する。
図８は、本発明の実施形態に係る加熱調理器の制御回路に入力される操作信号を示した波形図である。
【００４２】
なお、個別検出回路５７ａ、５７ｂ、………、５７ｋのレベル指令信号Ｖａ、Ｖｂ、………、Ｖｋおよび単一指令入力装置２９Ａ、３０Ａ、３１Ａ、３２Ａの単一指令信号Ｖ２９ａ、Ｖ３０ａ、Ｖ３１ａ、Ｖ３２ａは、基本的にそれぞれ同じ構成であり説明が重複するので、以下、個別検出回路５７ａのレベル指令信号Ｖａについて説明する。
【００４３】
図８に示すように、個別検出回路５７ａのレベル指令信号Ｖａは、人体と検知電極５１ａとの間の静電容量が変化して流れる微弱電流である。制御回路６７は、レベル指令信号Ｖａの電気量（出力電圧値）が変化（低下）して基準値Ｋ以下になったか否かを判断し、レベル指令信号Ｖａの電気量が基準値Ｋ以下になった場合にはレベル指令信号Ｖａの入力開始を判断する。他方、制御回路６７は、レベル指令信号Ｖａが基準変化幅ΔＫ以上上昇すると、レベル指令信号Ｖａの入力停止を判断する。
次に、加熱調理器１の制御内容について説明する。
図９は、本発明の実施形態に係る加熱調理器の制御内容を示したフローチャートである。
【００４４】
図１０は、本発明の実施形態に係る加熱調理器の制御内容のうち加熱切キーとしての単一指令入力装置が他のタッチキーとともに多重かつ長時間操作入力された場合を示したタイムチャートである。
【００４５】
図１１は、本発明の実施形態に係る加熱調理器の制御内容のうち加熱切キーとしての単一指令入力装置が他のタッチキーとともに多重かつ短時間操作入力された場合を示したタイムチャートである。
【００４６】
図９から図１１に示すように、加熱調理器１の制御回路６７は、誘導加熱コイル６Ａ、６Ｂの加熱中に単一指令入力装置２９Ａ、２９Ｂが単独で操作された場合には誘導加熱コイル６Ａ、６Ｂの加熱を停止させる。他方、制御回路６７は、単一指令入力装置２９Ａ、２９Ｂと加熱条件設定キー（すなわち、レベル指令入力装置２７Ａ、２７Ｂ、単一指令入力装置３０Ａ、３１Ａ、３２Ａ、３０Ｂ、３１Ｂ、３２Ｂ）のいずれかとが多重で操作された場合には誘導加熱コイル６Ａ、６Ｂの加熱を一旦停止させる。この後、制御回路６７は、単一指令入力装置２９Ａ、２９Ｂと加熱条件設定キーのいずれかとの多重操作継続時間が所定の停止判定時間以内の場合には誘導加熱コイル６Ａ、６Ｂの加熱を再開させる。他方、制御回路６７は、単一指令入力装置２９Ａ、２９Ｂと加熱条件設定キーのいずれかとの多重操作継続時間が所定の停止判定時間を超えた場合には誘導加熱コイル６Ａ、６Ｂの加熱を停止させる。
【００４７】
また、制御回路６７は、加熱条件設定キーのいずれかが単独で操作されたとき、加熱条件設定キーの操作継続時間が所定の操作判定時間以内の場合には加熱条件設定キーに予め対応付けられた加熱条件で誘導加熱コイル６Ａ、６Ｂを加熱する。
【００４８】
さらに、制御回路６７は、加熱条件設定キーのいずれかが単独で操作された場合、加熱条件設定キーに対応付けられた表示部（すなわち、レベル表示部２０Ａ、２０Ｂ、タイマー表示部２３Ａ、２３Ｂおよびオート調理表示部２４Ａ、２４Ｂのいずれか）の設定または非設定の表示を即時に行う。
【００４９】
さらにまた、制御回路６７は、単一指令入力装置２９Ａ、２９Ｂと加熱条件設定キーのいずれかとが多重で操作された場合には一時停止表示部２５Ａ、２５Ｂを表示させる。
【００５０】
また、制御回路６７は、単一指令入力装置２９Ａ、２９Ｂと加熱条件設定キーのいずれかとの多重操作継続時間が所定の停止判定時間以内の場合には一時停止表示部２５Ａ、２５Ｂを解除させる。
【００５１】
また、制御回路６７は、単一指令入力装置２９Ａ、２９Ｂと加熱条件設定キーのいずれかとが多重で操作された場合には所定の操作不感時間が経過するまで単一指令入力装置２９Ａ、２９Ｂおよび加熱条件設定キーから入力される操作信号を破棄する。
【００５２】
さらに、制御回路６７は、単一指令入力装置２９Ａ、２９Ｂと加熱条件設定キーのいずれかとが多重で操作されたとき、加熱条件設定キーの操作継続時間が所定の操作判定時間よりも長い所定の第二操作判定時間以内の場合には単一指令入力装置２９Ａ、２９Ｂおよび加熱条件設定キーから入力される操作信号を破棄する。
【００５３】
また、制御回路６７は、単一指令入力装置２９Ａ、２９Ｂと加熱条件設定キーのいずれかとが多重で操作された場合には所定の操作不感時間（例えば、約１秒）が経過するまで単一指令入力装置２９Ａ、２９Ｂと加熱条件設定キーから入力される操作信号を破棄する。
【００５４】
より具体的には、制御回路６７は、主電源スイッチ１１が投入されると加熱調理器１の制御を開始する。なお、この制御は、加熱調理器１の電源投入中、繰り返し実行される。また、この制御は、誘導加熱コイル６Ａ、６Ｂのそれぞれについて個別に同じ制御が行われるため説明が重複するので、以下、レベル指令入力装置２７Ａ、単一指令入力装置２９Ａ、３０Ａ、３１Ａ、３２Ａについて説明する。
【００５５】
先ず、制御回路６７は、ステップＳ１において、単一指令入力装置２９Ａ、３０Ａ、３１Ａ、３２Ａの単一指令信号Ｖ２９ａ、Ｖ３０ａ、Ｖ３１ａ、Ｖ３２ａおよび個別検出回路５７ａ、５７ｂ、………、５７ｋのレベル指令信号Ｖａ、Ｖｂ、………、Ｖｋ、すなわち操作信号のタッチ入力判断処理を行う。そして、制御回路６７は、少なくとも一つの操作信号の入力開始があった場合にはステップＳ２に進み、その他の場合には処理を終了する。このとき、制御回路６７は、操作継続時間の計測を開始する。
【００５６】
ここで、タッチ入力判断処理とは、単一指令入力装置２９Ａ、３０Ａ、３１Ａ、３２Ａの単一指令信号Ｖ２９ａ、Ｖ３０ａ、Ｖ３１ａ、Ｖ３２ａおよび個別検出回路５７ａ、５７ｂ、………、５７ｋのレベル指令信号Ｖａ、Ｖｂ、………、Ｖｋのそれぞれを各１回、所定の監視時間（例えば、約０．０１秒）ずつ順次に監視して操作信号の入力開始の有無を受け取る処理である。
【００５７】
なお、ステップＳ１における操作信号の入力を開始させる事象として、例えば、レベル指令入力装置２７Ａ、単一指令入力装置２９Ａ、３０Ａ、３１Ａ、３２Ａのいずれかに使用者が操作のために触れた場合、使用者が誤作動で触れた場合、被加熱物から吹きこぼれた水などが付着した場合および付着した水など分を布巾などで拭き取る場合などが考えられる。
【００５８】
次に、制御回路６７は、ステップＳ２において、レベル指令入力装置２７Ａ、単一指令入力装置２９Ａ、３０Ａ、３１Ａ、３２Ａのいずれかの組み合わせで２つ以上、すなわち多重の操作入力が開始されたか否かを判断する。そして、制御回路６７は、多重入力が開始された場合にはステップＳ３に進み、その他の場合にはステップＳ１１に進む。このとき、制御回路６７は、多重操作継続時間の計測を開始する。
【００５９】
なお、多重入力が開始された場合とは、被加熱物から吹きこぼれた水などが付着した場合および付着した水など分を布巾などで拭き取る場合に満足されると想定される条件である。他方、その他の場合とは、使用者が操作のために触れた場合に満足されると想定される条件である。
【００６０】
次に、制御回路６７は、ステップＳ３において、多重の操作入力の組み合わせが多重入力許可の対象か否かを判断する。ここで、多重入力許可の対象は、レベル指令入力装置２７Ａのタッチ入力部３９Ａであり、個別検出回路５７ａ、５７ｂ、………、５７ｋのレベル指令信号Ｖａ、Ｖｂ、………、Ｖｋのうち相互に隣接する２つ（例えば、個別検出回路５７ａと４３ｂと）の重複した操作入力である。そして、制御回路６７は、多重の操作入力の組み合わせがレベル指令信号Ｖａ、Ｖｂ、………、Ｖｋのうち相互に隣接する２つ（例えば、個別検出回路５７ａと４３ｂと）の重複した操作入力の場合はステップＳ１１へ進み、その他の場合にはステップＳ４に進む。
【００６１】
次に、制御回路６７は、ステップＳ４において、誘導加熱コイル６Ａが加熱動作中か否かを判断する。そして、制御回路６７は、誘導加熱コイル６Ａが加熱動作中の場合にはステップＳ５に進み、その他の場合にはステップＳ１０に進む。
【００６２】
次に、制御回路６７は、ステップＳ５において、多重の操作入力の組み合わせに単一指令入力装置２９Ａ（加熱入り切りキー）が含まれているか否かを判断する。そして、制御回路６７は、単一指令入力装置２９Ａ（加熱入り切りキー）が含まれていればステップＳ６に進み、その他の場合にはステップＳ１０に進む。
【００６３】
次に、制御回路６７は、ステップＳ６において、誘導加熱コイル６Ａの加熱を一旦中止させるが、例えば温度表示部２１Ａなどの表示部は点灯をそのまま維持をして（図１０および図１１）、ステップＳ７に進む。
【００６４】
すなわち、ステップＳ１における操作信号の入力を開始させた事象が、使用者が誤動作などで複数の入力装置に触れた場合、被加熱物から吹きこぼれた水など（”水など”のどのような物でしょうか？”など”だけでは物が具体的にならないので”など”と入れた実質的な意味が損なわれます。そこで”水など”を指す名詞なりをご呈示いただければ幸いです。  例  吹きこぼれ？）が付着した場合および付着した水など分を布巾などで拭き取る場合のいずれであっても、制御回路６７は、ステップＳ６において、安全上のため誘導加熱コイル６Ａの加熱を一旦中止させる。このとき、使用者が単に布巾などで拭き取った場合かもしれないため、温度表示部２１Ａなどの表示部は点灯をそのまま維持させている。
【００６５】
次に、制御回路６７は、ステップＳ７において、多重操作継続時間の計測を継続させつつ多重操作継続時間が所定の停止判定時間（例えば、約０．２秒から約３秒）を超えないか否かを判断する。そして、制御回路６７は、多重操作継続時間が所定の停止判定時間を超えた場合（図１０）にはステップＳ８に進み、その他の場合（図１１）にはステップＳ９に進む。換言すると、制御回路６７は、多重の操作入力が所定の停止判定時間を超えて継続されるとステップＳ８に進み、多重の操作入力が所定の停止判定時間以内に解除されて入力停止判断処理が行われた場合にはステップＳ９に進む。
【００６６】
ここで、入力停止判断処理とは、単一指令入力装置２９Ａ、３０Ａ、３１Ａ、３２Ａの単一指令信号Ｖ２９ａ、Ｖ３０ａ、Ｖ３１ａ、Ｖ３２ａおよび個別検出回路５７ａ、５７ｂ、………、５７ｋのレベル指令信号Ｖａ、Ｖｂ、………、Ｖｋのそれぞれを各１回、所定の監視時間（例えば、約０．０１秒）ずつ順次に監視して操作信号の入力停止の有無を受け取る処理である。
【００６７】
なお、多重操作継続時間が所定の停止判定時間を超えた場合とは、被加熱物から吹きこぼれた水などが付着した場合に満足されると想定される条件である。他方、多重の操作入力が所定の停止判定時間以内に解除されて入力停止判断処理が行われた場合とは、付着した水など分を布巾などで拭き取る場合に満足されると想定される条件である。
【００６８】
次に、制御回路６７は、ステップＳ８において、温度表示部２１Ａなどの表示部を消灯し、誘導加熱コイル６Ａの加熱を停止したまま処理を終了する（図１０）。すなわち、制御回路６７は、被加熱物から吹きこぼれた水などが付着していると想定し、表示および加熱を停止させる。
【００６９】
他方、制御回路６７は、ステップＳ９において、付着した水などを布巾などで拭き取られたと想定して、誘導加熱コイル６Ａの加熱を再開させ（図１１）、ステップＳ１０に進む。
【００７０】
次に、制御回路６７は、ステップＳ１０において、一旦受け取った多重の操作入力を破棄して処理を終了する。また、制御回路６７は、ステップＳ１０において、破棄すべき多重操作を受け取ったことを記憶する（多重操作破棄記憶）。
【００７１】
一方、制御回路６７は、ステップＳ１１において、操作入力に対応付けられた表示部の設定または非設定の表示を行う。例えば、制御回路６７は、ステップＳ２において単一指令入力装置３２Ａを受け取ると、オート調理表示部２４Ａの表示を変更する。ただし、使用者の操作意思に基づいて操作が行われたのか分からないため、このとき制御回路６７は、誘導加熱コイル６Ａの加熱条件の変更は未だ行わない。
【００７２】
次に、使用者が操作意思に基づいて操作する場合には押して離す動作が短時間で行われるため、制御回路６７は、ステップＳ１２において、操作継続時間の計測を継続させつつ操作継続時間が所定の操作判定時間（例えば、２秒程度）を超えないか否かを判断する。そして、制御回路６７は、操作継続時間が所定の操作判定時間を超えた場合には使用者の意志に基づかない誤作動と想定してステップＳ１１において変更した表示を元に戻してステップＳ１０に進み、その他の場合には使用者の意思に基づく操作と想定してステップＳ１３に進む。換言すると、制御回路６７は、操作入力が所定の操作判定時間を超えて継続されるとステップＳ１２に進み、操作入力が所定の操作判定時間以内に解除されて入力停止判断処理が行われた場合にはステップＳ１３に進む。
【００７３】
次に、制御回路６７は、ステップＳ１３において、ステップＳ１０における多重操作の破棄の記憶（多重操作破棄記憶）が成されたか否かを判断する。そして、制御回路６７は、多重操作破棄記憶が成されていた場合には操作継続時間に継続させて操作破棄継続時間を計測し、この操作破棄継続時間が所定の操作不感時間を超えるまで破棄制御を継続する。また、制御回路６７は、作破棄継続時間が所定の操作不感時間を超えたら多重操作破棄記憶を消去して処理を終了する（多重操作後不感処理）。他方、制御回路６７は、その他の場合には、ステップＳ１４に進む。
【００７４】
このようにステップＳ１３の判断を行なう理由としては以下のようなケースが考えられるためである。例えば布巾などでレベル指令入力装置２７Ａを左側から右側に拭き掃除する場合、布巾が左側から右側に移動するときに検知電極５１ａ、５１ｂ、５１ｃに触れて多重操作と認識した際に、即キー入力を受け付けるようにしてしまうと、布巾が右側に移動したときに検知電極５１ｊと５１ｋ又は検知電極５１ｋに触れた際には、使用者の意思に基づかない動作にも拘わらず、正常な操作として受け付けてしまうという不具合が生じる。このため、ステップＳ１３において、多重操作を検知してからしばらく経つまでは、正常な操作であっても、その入力を破棄するようにすることで上記のような不具合を解消することができる。
【００７５】
なお、上記したようにステップＳ１３では操作破棄継続時間が所定の操作不感時間を超えるまで破棄制御を継続するように説明したが、以下のように検知電極５１ａ、５１ｂ、………、５１ｋの各監視時間を長くすることで、実質的に上記のような不具合を解消してもよい。具体的には、制御回路６７は、制御回路６７は、相互に離れた検知電極（例えば、５１ａおよび５１ｋ）が多重操作された場合または３つ以上の検知電極（例えば、５１ｂ、５１ｃ、５１ｄ）が多重操作された場合には検知電極５１ａ、５１ｂ、………、５１ｋのそれぞれを所定の監視時間よりも長い所定の第二監視時間ずつ順次に監視してレベル指令信号の入力開始の有無を受け取る。
【００７６】
さらに具体的には、制御回路６７は、ステップＳ１において、ステップＳ１０における多重操作の破棄の記憶（多重操作破棄記憶）が成されていた場合には、次回のタッチ入力判断処理を行う際に所定の監視時間（例えば、約０．０１）よりも長い所定の第二監視時間（例えば、約０．１秒）ずつ順次に監視して操作信号の入力開始の有無を受け取るようにしてもよい。
次に、制御回路６７は、ステップＳ１４において、操作入力を受付け、例えば誘導加熱コイル６Ａの加熱条件等を変更して加熱を継続しつつ処理を終了する。
【００７７】
このように構成された本実施形態に係る加熱調理器１によれば、加熱切キーとしての単一指令入力装置２９Ａ、２９Ｂが単独で操作入力された場合（すなわち、使用者の正常な操作と想定される場合）、加熱切キーとしての単一指令入力装置２９Ａ、２９Ｂが他のタッチキーとともに多重かつ長時間操作入力された場合（すなわち、使用者の意思に基づかない誤操作、被加熱物から吹きこぼれた水などが付着したことが想定される場合）および加熱切キーとしての単一指令入力装置２９Ａ、２９Ｂが他のタッチキーとともに多重かつ短時間操作入力された場合（すなわち付着した水など分を布巾などで拭き取ることが想定される場合）のいずれにおいても、誘導加熱コイル６Ａ、６Ｂの加熱を一旦中止するので、如何なる条件においても加熱の一旦中止までの時間差が無く、使用者に違和感を与えることがない。
【００７８】
また、本実施形態に係る加熱調理器１によれば、加熱切キーとしての単一指令入力装置２９Ａ、２９Ｂが他のタッチキーとともに多重かつ短時間操作入力された場合（すなわち付着した水など分を布巾などで拭き取ることが想定される場合）であっても、短時間の加熱中断の後には誘導加熱コイル６Ａ、６Ｂを再加熱するので、使用者の意図に反して加熱が終了してしまうこともない。
【００７９】
さらに、本実施形態に係る加熱調理器１によれば、加熱切キーとしての単一指令入力装置２９Ａ、２９Ｂ以外のタッチキーが単独で長時間操作入力された場合（すなわち、被加熱物から吹きこぼれた水などが付着したことが想定される場合）には操作入力を破棄してしまうので、使用者の意図に沿わない加熱条件が設定されない。
【００８０】
さらにまた、本実施形態に係る加熱調理器１によれば、レベル指令入力装置２７Ａ、２７Ｂに許可された多重操作が操作入力された場合および単一指令入力装置２９Ａ、３０Ａ、３１Ａ、３２Ａ、２９Ｂ、３０Ｂ、３１Ｂ、３２Ｂが単独で操作入力された場合には、当該操作入力の採否に係わらず一旦操作入力に対応させた表示部の表示を変更するので、使用者の操作入力に即応した表示変更を行うことができるので操作入力と表示変化の時間差による違和感が生じない
【００８１】
また、本実施形態に係る加熱調理器１によれば、誘導加熱コイル６Ａ、６Ｂの加熱を一旦中止する際に一時停止表示部２５Ａ、２５Ｂによってその旨を使用者に知らせるので、使い勝手も良い。
【００８２】
さらに、本実施形態に係る加熱調理器１によれば、誘導加熱コイル６Ａ、６Ｂの加熱を一旦中止後に再開させた際に一時停止表示部２５Ａ、２５Ｂによってその旨を使用者に知らせるので、使い勝手が良い。
【００８３】
さらにまた、本実施形態に係る加熱調理器１によれば、単一指令入力装置２９Ａ、２９Ｂと加熱条件設定キーのいずれかとが多重で操作された場合には所定の操作不感時間が経過するまで単一指令入力装置２９Ａ、２９Ｂと加熱条件設定キーから入力される操作信号を破棄する。例えば、被加熱物からトッププレート５に吹きこぼれて付着した水など分を布巾などで拭き取るとき、この布巾がレベル指令入力装置２７Ａ、単一指令入力装置２９Ａ、３０Ａ、３１Ａ、３２Ａを多重操作することが想定される。このとき、タッチキーが配置された領域の端部に布巾が差し掛かると偶発的にタッチキーのいずれかを単独で操作入力してしまうことが考えられる。このような場合であっても、本実施形態に係る加熱調理器１によれば、所定の操作不感時間が経過するまでは偶発的なタッチキーの単独操作入力に従うことなく、使用者の選択した加熱条件を維持できる。
【００８４】
また、本実施形態に係る加熱調理器１の変形例によれば、単一指令入力装置２９Ａ、２９Ｂと加熱条件設定キーのいずれかとが多重で操作されるまでは単一指令入力装置２９Ａ、２９Ｂおよび加熱条件設定キーのそれぞれを所定の監視時間ずつ順次に監視して前記加熱切キーおよび前記加熱条件設定キーの入力開始の有無を受け取る。他方、前記加熱切キーと前記加熱条件設定キーのいずれかとが多重で操作された場合には単一指令入力装置２９Ａ、２９Ｂおよび加熱条件設定キーのそれぞれを所定の監視時間よりも長い所定の第二監視時間ずつ順次に監視して前記加熱切キーおよび前記加熱条件設定キーの入力開始の有無を受け取る。これによって、加熱調理器１は、タッチキーに付着した水などを拭き取る際に起こる偶発的な単独操作または多重操作に従うことなく、使用者の選択した加熱条件を維持できる。
【００８５】
したがって、本発明の実施形態に係る加熱調理器１によれば、電源切りキーとしての単一指令入力装置２９Ａ、２９Ｂの単独操作および単一指令入力装置２９Ａ、２９Ｂを含む多重操作にかかわらず使用者に違和感なく熱源の加熱を停止できる。
【００８６】
なお、上記した本実施形態に係る加熱調理器１は一形態であって、発明の要旨を変更しない限りにおいて、種々の変更が可能である。例えば、一時停止表示部２５Ａ、２５Ｂを設けて、ステップ６において加熱を一次停止させている間には、一時停止表示部２５Ａ、２５Ｂを点灯させて、使用者に一次加熱を停止させていることを知らせるようにしてもよい。また、上記した本実施形態では変形例として、操作破棄継続時間が所定の操作不感時間を超えるまで破棄制御を継続する替りに、検知電極５１ａ、５１ｂ、………、５１ｋの各監視時間を長くすることを説明したが、操作破棄継続時間が所定時間、例えば操作不感時間を超えるまで検知電極５１ａ、５１ｂ、………、５１ｋの各監視時間を長くするようにしてもよい。
【符号の説明】
【００８７】
１  加熱調理器
３ａ、３ｂ、４  被加熱物配置部
５  トッププレート
６Ａ、６Ｂ  誘導加熱コイル
７  ヒータ
８  調理器本体
８ａ  開口
８ｂ  フランジ部
９  ロースタ部
１１  主電源スイッチ
１２  主回路基板
１３  発光ダイオード
１５Ａ、１５Ｂ  発光ダイオード群
１６Ａ、１６Ｂ  タイマー表示器
１７Ａ、１７Ｂ  メニュー調理表示器
１８Ａ、１８Ｂ  一時停止表示器
２０Ａ、２０Ｂ  レベル表示部
２１Ａ、２１Ｂ  温度表示部
２２Ａ、２２Ｂ  加熱強度表示部
２３Ａ、２３Ｂ  タイマー表示部
２４Ａ、２４Ｂ  オート調理表示部
２５Ａ、２５Ｂ  一時停止表示部
２７Ａ、２７Ｂ  レベル指令入力装置
２９Ａ、２９Ｂ、３０Ａ、３０Ｂ、３１Ａ、３１Ｂ、３２Ａ、３２Ｂ  単一指令入力装置
３６Ａ、３６Ｂ  表示パネル部
３７Ａ、３７Ｂ  表示パネル
３８Ａ、３８Ｂ  一時停止表示パネル
３９Ａ、３９Ｂ  タッチ入力部
４１Ａ、４１Ｂ、４２Ａ、４２Ｂ、４３Ａ、４３Ｂ、４４Ａ、４４Ｂ  単一タッチ入力部４８  誘電体
４９  電極基板
５１ａ、５１ｂ、………、５１ｋ  検知電極
５２  コネクタ
５３  検出回路基板
５５  ハーネスコネクタ
５６  発振回路
５７ａ、５７ｂ、………、５７ｋ  個別検出回路
５９  コンデンサ
６１  接触検知回路
６２  ダイオード
６３  抵抗
６５  チャージコンデンサ
６７  制御回路
７１  インバータ制御回路
７２  インバータ
【図１】
2012017883.tif 000003
【図２】
2012017883.tif 000004
【図３】
2012017883.tif 000005
【図４】
2012017883.tif 000006
【図５】
2012017883.tif 000007
【図６】
2012017883.tif 000008
【図７】
2012017883.tif 000009
【図８】
2012017883.tif 000010
【図９】
2012017883.tif 000011
【図１０】
2012017883.tif 000012
【図１１】
2012017883.tif 000013